(57)【要約】【課題】コンクリートブロックの組積の精度の維持を容易に行うことができるとともに、構築した建築物をスケルトン・インフィル構造とすることができる建築物の構築工法を提供すること。【解決手段】基礎１の内側に木製の柱４１及び梁４２からなる木造フレーム４を建て込んだ後、木造フレーム４に沿って、基礎１上にコンクリートブロックを用いて鉄筋コンクリート組積造５を構築する。【選択図】図１
2020041261.tif 000002
【特許請求の範囲】
【請求項１】
コンクリートブロックを用いて構築される構造躯体を備えた建築物の構築工法において、以下の（１）〜（４）の工程を備えることを特徴とする建築物の構築工法。
（１）基礎の構築工程。
（２）構築した基礎の内側に木製の柱及び梁からなる木造フレームを建て込む木造フレームの構築工程。
（３）基礎の内側に構築した木造フレームに沿って、基礎上にコンクリートブロックを用いて鉄筋コンクリート組積造を構築する鉄筋コンクリート組積造の構築工程。
（４）コンクリートを打設することによってスラブを構築するスラブの構築工程。
【請求項２】
前記鉄筋コンクリート組積造の構築工程が、横筋を配置しながらコンクリートブロックを組積し、コンクリートブロックを組積後、縦筋を配置するようにすることを特徴とする請求項１に記載の建築物の構築工法。
【請求項３】
前記木造フレームを、建築物の内装として利用することを特徴とする請求項１又は２に記載の建築物の構築工法。
【発明の詳細な説明】
【技術分野】
【０００１】
本発明は、建築物の構築工法に関し、特に、コンクリートブロックを用いて構築される構造躯体を備えた建築物の構築工法に関するものである。
【背景技術】
【０００２】
コンクリートブロックを用いて構築される構造躯体を備えた建築物として、鉄筋コンクリート組積造（ＲＭ造）（国土交通省告示第４６１号〜第４６３号参照。）によるもの等が提案され、実用化されている。
【０００３】
ところで、鉄筋コンクリート組積造（ＲＭ造）は、いわゆるスケルトン・インフィル構造、すなわち、建築物のスケルトン（柱、梁、床等の構造躯体）とインフィル（住戸内の内装、設備等）とが分離された構造とすることで、スケルトン・インフィル構造が有する以下のメリットを備えるものである。
・スケルトン（構造体）の耐火性、耐震性、耐風害、耐水害が高い。
・建築物の居住性が優れ、気密性、断熱性、遮音性が高い。
・建築物に耐久性が高く、価値が低下しない。
・建築物の空間が整形で室内に柱や梁が突出せず、空間にゆとりがある。
・多様な間取りが可能である。
・将来のリフォームが容易である。
・設備配管のメンテナンスが容易である。
【０００４】
一方、この鉄筋コンクリート組積造（ＲＭ造）は、鉄筋を配置しながらコンクリートブロックを組積する工法のため、コンクリートブロックの組積の精度を高く維持する必要があり、このため、作業者の技術を要するとともに、作業に手数を要するという問題があった。
【発明の概要】
【発明が解決しようとする課題】
【０００５】
本発明は、上記鉄筋コンクリート組積造（ＲＭ造）の有する問題点に鑑み、コンクリートブロックの組積の精度の維持を容易に行うことができるとともに、構築した建築物をスケルトン・インフィル構造とすることができる建築物の構築工法を提供することを目的とする。
【課題を解決するための手段】
【０００６】
上記目的を達成するため、本発明の建築物の構築工法は、コンクリートブロックを用いて構築される構造躯体を備えた建築物の構築工法において、以下の（１）〜（４）の工程を備えることを特徴とする。
（１）基礎の構築工程。
（２）構築した基礎の内側に木製の柱及び梁からなる木造フレームを建て込む木造フレームの構築工程。
（３）基礎の内側に構築した木造フレームに沿って、基礎上にコンクリートブロックを用いて鉄筋コンクリート組積造を構築する鉄筋コンクリート組積造の構築工程。
（４）コンクリートを打設することによってスラブを構築するスラブの構築工程。
【０００７】
この場合において、前記鉄筋コンクリート組積造の構築工程が、横筋を配置しながらコンクリートブロックを組積し、コンクリートブロックを組積後、縦筋を配置するようにすることができる。
【０００８】
また、前記木造フレームを、建築物の内装として利用することができる。
【発明の効果】
【０００９】
本発明の建築物の構築工法によれば、コンクリートブロックの組積の精度の維持を容易に行うことができるとともに、構築した建築物をスケルトン・インフィル構造とすることで、スケルトン・インフィル構造が有する種々のメリットを備えるようにすることができる。
【図面の簡単な説明】
【００１０】
【図１】本発明の建築物の構築工法の施工工程の一実施例を示す説明図である。
【発明を実施するための形態】
【００１１】
以下、本発明の建築物の構築工法の実施の形態を、図面に基づいて説明する。
【００１２】
図１に、本発明の建築物の構築工法の施工工程の一実施例を示す。
この本発明の建築物の構築工法は、コンクリートブロックを用いて構築される構造躯体を備えた建築物の構築工法に関するもので、次の（１）〜（４）の工程を備えるものである。
（１）基礎の構築工程
（２）木造フレームの構築工程
（３）鉄筋コンクリート組積造の構築工程
（４）スラブの構築工程
【００１３】
以下、各工程について説明する。
【００１４】
（１）基礎の構築工程（図１（ａ））
地盤上に、基礎１を構築する。
基礎１には、布基礎、ベタ基礎等、建築物の基礎として用いられている基礎構造を、構築する建築物に応じて適宜選択することができる。
基礎１からは、所定長さの立ち上がり筋２を立ち上げるようにする。
【００１５】
（２）木造フレームの構築工程（図１（ｂ）〜（ｅ））
構築した基礎１の内側に、墨出し（地墨３）を行い（図１（ｂ））、木製の柱４１及び梁４２からなる木造フレーム４を建て込むようにする（図１（ｃ））。
木造フレーム４には、入口枠４３や窓枠４４を取り付け（図１（ｄ））、さらに、適宜段階で、スラブ型枠となるパネル４５を貼り付ける（図１（ｅ））。
【００１６】
（３）鉄筋コンクリート組積造の構築工程（図１（ｆ）〜（ｈ））
基礎１の内側に構築した木造フレーム４に沿って、基礎１上に（立ち上がり筋２を立ち上げた位置に）コンクリートブロックを用いて鉄筋コンクリート組積造５を構築する。
コンクリートブロックには、建築物の耐力壁の構造計算に対応した、例えば、厚さ１５０ｍｍ、２００ｍｍ、２４０ｍｍ〜のコンクリートブロック（例えば、太陽エコブロックス社製のコンクリートブロック「ＤＥＮＸ（デンクス）（商品名）」）を用いることができる。
鉄筋コンクリート組積造５の構築に当たっては、横筋（図示省略）を配置しながらコンクリートブロックを組積し（図１（ｆ））、コンクリートブロックを組積後、縦筋６を上方から落とし込むようにして配置するようにする（図１（ｇ））。これにより、施工性を向上することができる。
また、鉄筋コンクリート組積造５の構築は、建築物の内側から施工することができ、外側の仮設足場を省略したり、簡略化することができ、また、必要に応じて、「ゼロロット施工（敷地境界線から控えなしで施工）」も可能である。
その後、縦筋６を配置したコンクリートブロックの空洞内に、モルタル、コンクリート等からなるグラウト材を充填することで、建築物の耐力壁を構築する（図１（ｈ））。
そして、このように、木造フレーム４に沿って、すなわち、木造フレーム４を基準にして、鉄筋コンクリート組積造を構築することにより、コンクリートブロックの組積の精度の維持を容易に行うことができる。
【００１７】
（４）スラブの構築工程（図１（ｉ）〜（ｋ））
木造フレーム４に貼り付けたスラブ型枠となるパネル４５の上にスラブ鉄筋７１を敷設する（図１（ｉ））。
この状態で、鉄筋コンクリート組積造５の上に（縦筋６を立ち上げた位置に）コンクリートブロックを用いてパラペット組積造８を構築する（図１（ｊ））。
そして、スラブ鉄筋７１を敷設したスラブ型枠となるパネル４５の上にコンクリートを打設することによってスラブ７を構築する（図１（ｋ））。
【００１８】
ここで、図１に示す実施例は、１階建ての建築物を例に説明したものであるが、複数階建ての建築物（５階建てまで可能（国土交通省告示第４６３号参照。）。）の場合は、パラペット組積造８を構築する工程を省略してスラブ７を構築し、（２）〜（４）の工程を繰り返すようにする。
【００１９】
また、木造フレーム４は、建築物の構築に合わせて撤去することもできるが、木造フレーム４にパネルやボード（図示省略）を貼り付け、建築物の内装として利用することができる。
【００２０】
この建築物の構築工法によれば、コンクリートブロックの組積の精度の維持を容易に行うことができるとともに、構築した建築物をスケルトン・インフィル構造とすることで、スケルトン・インフィル構造が有する種々のメリットを備えるようにすることができる。
【００２１】
以上、本発明の建築物の構築工法について、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の建築物の構築工法は、コンクリートブロックの組積の精度の維持を容易に行うことができるとともに、構築した建築物をスケルトン・インフィル構造とすることができるという特性を有していることから、コンクリートブロックを用いて構築される構造躯体を備えた建築物の構築の用途に広く用いることができる。
【符号の説明】
【００２３】
１  基礎
２  立ち上がり筋
３  地墨
４  木造フレーム
４１  柱
４２  梁
４３  入口枠
４４  窓枠
４５  パネル
５  鉄筋コンクリート組積造
６  縦筋
７  スラブ
７１  スラブ鉄筋
８  パラペット組積造
【図１】
2020041261.tif 000003